(57)【要約】【課題】高温の燃料電池モジュールを構成する場合であっても、その小型化及び低コスト化を図ることができる改質水蒸発器及び該改質水蒸発器を有する燃料電池モジュールを備えた発電装置を提供する。【解決手段】燃料電池モジュール１０の一部として使用され、水蒸気を生成する改質水蒸発器２６であって、内部で水蒸気を発生させる箱体６０と、箱体６０内に配置され、吐出孔６８ａから水を吐出させて散水を行う散水管６８と、散水管６８から散水された水を吸収可能な吸水部７０と、箱体６０の側壁、底部の何れか１つを構成し、散水管６８から散水された水を加熱して蒸発させる伝熱板６０ｂと、箱体６０内に配置され、吐出孔６８ａからの水の吐出を促進する吐出促進部７２ａと、を備える。【選択図】図４
2018010831.tif 000002
【特許請求の範囲】
【請求項１】
燃料電池モジュールの一部として使用され、水蒸気を生成する改質水蒸発器であって、
内部で水蒸気を発生させる箱体と、
該箱体内に配置され、吐出孔から水を吐出させて散水を行う散水管と、
前記散水管から散水された水を吸収可能な吸水部と、
前記箱体の側壁、底部の何れか１つを構成し、前記散水管から散水された水を加熱して蒸発させる伝熱板と、
前記箱体内に配置され、前記吐出孔からの水の吐出を促進する吐出促進部と、を備えていることを特徴とする改質水蒸発器。
【請求項２】
前記吐出促進部は、前記吐出孔から、もしくは、該吐出孔近傍から、前記吸水部に向けて延在している棒状のものであることを特徴とする請求項１に記載の改質水蒸発器。
【請求項３】
前記吐出促進部は、前記吐出孔の近傍に、下向きに凸な突出部を設けてなることを特徴とする請求項１に記載の改質水蒸発器。
【請求項４】
前記吐出促進部は、前記散水管の下側に長手方向に傾斜する傾斜部を設け、該傾斜部の途中に前記吐出孔を設けていることを特徴とする請求項１に記載の改質水蒸発器。
【請求項５】
燃料電池モジュールの一部として使用され、水蒸気を生成する改質水蒸発器であって、
内部で水蒸気を発生させる箱体と、
該箱体内に配置され、吐出孔から水を吐出させて散水を行う散水管と、
前記散水管から散水された水を吸収可能な吸水部と、
前記箱体の側壁、底部の何れか１つを構成し、前記散水管から散水された水を加熱して蒸発させる伝熱板と、
を備え、
前記散水管は、散水管支持部に支持されていることを特徴とする改質水蒸発器。
【請求項６】
内部で水蒸気を発生させる箱体と、
該箱体内に配置され、吐出孔から水を吐出させて散水を行う散水管と、
前記散水管から散水された水を吸収可能な吸水部と、
前記箱体の側壁、底部の何れか１つを構成し、前記散水管から散水された水を加熱して蒸発させる伝熱板と、
前記箱体内に配置され、前記吐出孔からの水の吐出を促進する吐出促進部と、
を備えている改質水蒸発器を有することを特徴とする発電装置。
【請求項７】
内部で水蒸気を発生させる箱体と、
該箱体内に配置され、吐出孔から水を吐出させて散水を行う散水管と、
前記散水管から散水された水を吸収可能な吸水部と、
前記箱体の側壁、底部の何れか１つを構成し、前記散水管から散水された水を加熱して蒸発させる伝熱板と、
を備え、
前記散水管は、散水管支持部に支持されている改質水蒸発器を有することを特徴とする発電装置。
【発明の詳細な説明】
【技術分野】
【０００１】
本発明は、改質用水蒸気を生成する改質水蒸発器、及び該改質水蒸発器を有する燃料電池モジュールを備えた発電装置に関する。
【背景技術】
【０００２】
天然ガスやＬＰＧ等の炭化水素系の燃料を改質して燃料電池の燃料極（アノード）に導入する構成として、例えば特許文献１には多重円筒型で燃焼部、改質部及び蒸発部を構成した燃料改質装置が開示されている。特許文献１に記載の構成の場合、改質水蒸発器における突沸や蒸発振動等の圧力変動を防止するために金属フェルトやスチールウールのような吸水材に改質水を吸水させて加熱し、水蒸気を生成している。
【先行技術文献】
【特許文献】
【０００３】
【特許文献１】特開２００７−５５８９２号公報
【発明の概要】
【発明が解決しようとする課題】
【０００４】
ところで、固体酸化物形燃料電池（ＳＯＦＣ）や溶融炭酸塩形燃料電池（ＭＣＦＣ）といった高温型燃料電池では、高温となる燃料電池スタック、改質器、空気予熱器、改質水蒸発器、燃焼部を断熱筐体で囲って高温の燃料電池モジュールとして構成する場合がある。このような燃料電池モジュールでは、断熱筐体の内部での各機器の設置効率を最適にし、モジュール全体の小型化や低コスト化を図ることが重要である。さらに、高温の断熱筐体内での熱効率を低下させないために外部への放熱を低減する必要もある。
【０００５】
ところが、上記特許文献１のように燃焼部、改質部及び蒸発部を多重円筒型で構成した場合、各部の構造や伝熱が複雑となって設計や製造が困難となり、製造コストも増加する。しかも、上記特許文献１の構成では、改質器と改質水蒸発器とを円筒の一体型で構成している。従って、このような円筒型の複合機器は、上記した燃料電池モジュールの断熱筐体の内部での設置効率が悪く、モジュール全体が大型化すると共に、断熱筐体内での熱効率の最適化を図ることも困難である。
【０００６】
本発明は、上記従来の課題を考慮してなされたものであり、高温の燃料電池モジュールを構成する場合であっても、その小型化及び低コスト化を図ることができる改質水蒸発器及び該改質水蒸発器を有する燃料電池モジュールを備えた発電装置を提供することを目的とする。
【課題を解決するための手段】
【０００７】
上述した課題を解決し、目的を達成するために、本発明に係る改質水蒸発器は、燃料電池モジュールの一部として使用され、水蒸気を生成する改質水蒸発器であって、内部で水蒸気を発生させる箱体と、該箱体内に配置され、吐出孔から水を吐出させて散水を行う散水管と、該散水管から散水された水を吸収可能な吸水部と、前記箱体の側壁、底部の何れか１つを構成し、前記散水管から散水された水を加熱して蒸発させる伝熱板と、前記箱体内に配置され、前記吐出孔からの水の吐出を促進する吐出促進部と、を備えていることを特徴とする。
【０００８】
また、本発明に係る改質水蒸発器において、前記吐出促進部は、前記吐出孔から、もしくは、該吐出孔近傍から、前記吸水部に向けて延在している棒状のものであるとよい。
【０００９】
また、本発明に係る改質水蒸発器において、前記吐出促進部は、前記吐出孔の近傍に、下向きに凸な突出部を設けてなるとよい。
【００１０】
また、本発明に係る改質水蒸発器において、前記吐出促進部は、前記散水管の下側に長手方向に傾斜する傾斜部を設け、該傾斜部の途中に前記吐出孔を設けているとよい。
【００１１】
また、本発明に係る改質水蒸発器は、燃料電池モジュールの一部として使用され、水蒸気を生成する改質水蒸発器であって、内部で水蒸気を発生させる箱体と、該箱体内に配置され、吐出孔から水を吐出させて散水を行う散水管と、該散水管から散水された水を吸収可能な吸水部と、前記箱体の側壁、底部の何れか１つを構成し、前記散水管から散水された水を加熱して蒸発させる伝熱板と、を備え、前記散水管は、散水管支持部に支持されていることを特徴とする。
【００１２】
また、本発明に係る発電装置は、内部で水蒸気を発生させる箱体と、該箱体内に配置され、吐出孔から水を吐出させて散水を行う散水管と、該散水管から散水された水を吸収可能な吸水部と、前記箱体の側壁、底部の何れか１つを構成し、前記散水管から散水された水を加熱して蒸発させる伝熱板と、前記箱体内に配置され、前記吐出孔からの水の吐出を促進する吐出促進部と、を備えている改質水蒸発器を有することを特徴とする。
【００１３】
また、本発明に係る発電装置は、内部で水蒸気を発生させる箱体と、該箱体内に配置され、吐出孔から水を吐出させて散水を行う散水管と、該散水管から散水された水を吸収可能な吸水部と、前記箱体の側壁、底部の何れか１つを構成し、前記散水管から散水された水を加熱して蒸発させる伝熱板と、を備え、前記散水管は、散水管支持部に支持されている改質水蒸発器を有することを特徴とする。
【発明の効果】
【００１４】
内部で水蒸気を生成する箱体を設け、箱体の側壁もしくは底部に箱体外の熱を箱体内に伝えることのできる伝熱板を設け、この伝熱板によって箱体内に散水した水を加熱する構成としたので、水を加熱するための構造が簡素となり、改質水蒸発器の小型化が可能となる。しかも、吐出促進部又は散水管支持部を設けているので、着実な散水が可能となり、水蒸気の生成を安定して行うことができる。また、水を加熱するための構造が簡素なので、改質水蒸発器及びこれを備えた発電装置の設計や製造が容易となり、製造コストを低減することができる。
【図面の簡単な説明】
【００１５】
【図１】図１は、本発明の第一実施形態の燃料電池モジュールを備えた発電装置の構成を示すブロック図である。
【図２】図２は、本発明の第一実施形態の改質水蒸発器を備えた燃料電池モジュールの一構成例を示す斜視図である。
【図３】図３は、本発明の第一実施形態の改質水蒸発器の構成図であり、図３（Ａ）は、平面図であり、図３（Ｂ）は、正面図であり、図３（Ｃ）は、側面図である。
【図４】図４は、本発明の第一実施形態の改質水蒸発器の内部構造を示す説明図であり、図４（Ａ）は、平面図であり、図４（Ｂ）は、正面断面図であり、図４（Ｃ）は、側面断面図である。
【図５】図５は、本発明の第一実施形態の改質水蒸発器に備えられた散水管に設けられた吐出孔の設置例を示す図である。
【図６】図６は、本発明の第二実施形態の改質水蒸発器の内部構造を示す説明図であり正面断面図である。
【図７】図７は、本発明の第三実施形態の改質水蒸発器の内部構造を示す説明図であり正面断面図である。
【図８】図８は、本発明の第四実施形態の改質水蒸発器の内部構造を示す説明図であり正面断面図である。
【図９】図９は、本発明の第五実施形態の改質水蒸発器の内部構造を示す説明図であり正面断面図である。
【図１０】図１０は、本発明の第六実施形態の改質水蒸発器の内部構造を示す説明図であり正面断面図である。
【発明を実施するための形態】
【００１６】
以下、本発明に係る改質水蒸発器について、この改質水蒸発器を備えた燃料電池モジュール及び発電装置との関係で好適な実施の形態を挙げ、添付の図面を参照しながら詳細に説明する。
【００１７】
（第一実施形態）
先ず、図１を参照して燃料電池モジュール１０を備えた発電装置１２の全体的な構成を説明する。図１は、本発明の第一実施形態に係る燃料電池モジュール１０を備えた発電装置１２の構成を示すブロック図である。
【００１８】
図１に示すように、発電装置１２は、燃料電池スタック１４を断熱筐体１６の内部に設けた燃料電池モジュール１０と、燃料電池モジュール１０に燃料及び空気を供給する燃料供給ラインＬＦ１，ＬＦ２及び空気供給ラインＬＡ１，ＬＡ２と、燃料電池モジュール１０からの排熱を利用して温水を製造する温水熱交換器１８と、燃料電池モジュール１０で使用する改質用水蒸気を生成するための水を貯留する凝集水タンク２０とを備えたコジェネレーションシステムとして構成されている。
【００１９】
燃料電池モジュール１０は、燃料電池スタック１４と、改質器２２と、空気予熱器２４と、改質水蒸発器２６とを備え、これらの断熱部材を箱状に画成した断熱筐体１６の内部（高温室）に設置したものである。断熱部材としては、グラスウール等の一般的な断熱材を用いればよい。但し、ボード状の高性能断熱材を使用することで、燃料電池モジュール１０をよりコンパクトに構成することができる。
【００２０】
燃料電池スタック１４は、燃料供給ラインＬＦ２から導入される燃料と、空気供給ラインＬＡ２から導入される空気とを反応させて発電する矩形平板の発電セルを複数積層した公知の構成である。本実施形態の場合、燃料電池スタック１４を、燃料極（アノード）１４ａと空気極（カソード）１４ｂとの間に電解質としてイオン伝導性セラミックスを介在させた固体酸化物形燃料電池（ＳＯＦＣ）で構成している。固体酸化物形燃料電池を平板型の積層スタックで構成すると、燃料電池スタック１４をコンパクトに構成することができ、容積当たりの発電出力を高くすることができる。また、燃料電池スタック１４に円筒型の固体酸化物燃料電池を用いることもできる。燃料電池スタック１４として他の高温型燃料電池、例えば、溶融炭酸塩形燃料電池（ＭＣＦＣ）等を用いてもよい。燃料電池スタック１４の側部には、昇温用のヒータ２８が設置されている。
【００２１】
燃料供給ラインＬＦ１からの原燃料（例えば、天然ガス、ＬＰＧ又は都市ガス等の炭化水素系の燃料）は、脱硫器３０及び改質器２２を経て水素や一酸化炭素を含む改質燃料となり、燃料供給ラインＬＦ２から燃料極１４ａへと導入される。改質器２２は、公知の構成でよく、その内部に各種の改質触媒が設けられている。改質水蒸発器２６は、温水熱交換器１８からの凝集水を貯留する凝集水タンク２０から送られる水（改質水）を蒸発させて改質用の水蒸気を生成するものである。改質水蒸発器２６で生成された水蒸気（改質用水蒸気）は、水蒸気供給ラインＬＷから改質器２２に導入される直前の燃料供給ラインＬＦ１に導入されて改質器２２に導入される。これにより、燃料は改質水蒸発器２６で高温となった水蒸気と混合され、例えば３００℃程度まで加熱された後、改質器２２に導入され、ここで７００℃程度まで温度上昇しつつ、水蒸気改質されて改質燃料となる。燃料電池スタックに改質器機能が備わっている場合は、改質器２２を省略してよい。その場合は、改質水蒸発器２６で生成された水蒸気は、直接燃料電池スタックに導入される。
【００２２】
空気供給ラインＬＡ１からの空気は、ブロワ３２によって空気予熱器２４に導入され、所望の温度（例えば、６５０〜７００℃程度）まで予熱された後、空気供給ラインＬＡ２から空気極１４ｂへと導入される。
【００２３】
燃料電池スタック１４から排出された排ガスは排ガスラインＬＧから温水熱交換器１８に送られる。温水熱交換器１８は、貯水槽３６から供給される水を排ガスラインＬＧからの排ガスによって加熱して温水を製造し、製造した温水は貯水槽３６へと戻される。貯水槽３６では、補給水が供給され、温水が取り出される。また、温水熱交換器１８を通過した排ガスは、凝集水タンク２０で凝集・除塵されて排気する。凝集水は改質水として改質水蒸発器２６に供給される。凝集水タンク２０にはレベル計が設置され、水が一定レベル以下になると補給水が供給される。これにより、不要なガス及び余剰な水が排気及び排水される。
【００２４】
次に、以上のような発電装置１２を構成する燃料電池モジュール１０の具体的な構成例について説明する。
【００２５】
図２は、本発明の第一実施形態に係る改質水蒸発器２６を備えた燃料電池モジュール１０の一構成例を示す斜視図である。以下では、燃料電池モジュール１０及び改質水蒸発器２６について、図２における手前側を前側（正面側）、奥側を後側（背面側）と呼び、さらに左右方向を幅方向（左右幅方向）、高さ方向を上下方向と呼んで説明する。
【００２６】
図２に示すように、本実施形態では１つの断熱筐体１６内に４個の燃料電池スタック１４を設けた４個１組の構成からなる燃料電池モジュール１０を用いている。この燃料電池モジュール１０は、断熱筐体１６内に設置された棚装置４０の上棚４０ａ及び下棚４０ｂに燃料電池スタック１４を２個ずつ載置しており、正面視で２行２列の配置となっている。以下では、このような４個１組の燃料電池スタック１４をまとめて燃料電池スタック１４として説明することもある。
【００２７】
燃料電池モジュール１０では、棚装置４０に載置された燃料電池スタック１４の上方に扁平箱状の改質水蒸発器２６が設置され、燃料電池スタック１４の背面及び左右両側面の３面を囲むように空気予熱器２４が設置されている。空気供給ラインＬＡ１を介して空気予熱器２４に導入された空気は、予熱器内部を流通して燃料電池スタック１４で発生する熱により所望の温度まで加熱された後、空気供給ラインＬＡ２から空気極１４ｂへと導入される。
【００２８】
断熱筐体１６内の燃料電池モジュール１０では、より高い温度を必要とする改質器２２と空気予熱器２４とを燃料電池スタック１４の近傍に配置し、これらより低い温度でよい改質水蒸発器２６を燃料電池スタック１４の上方に配置している。改質水蒸発器２６が燃料電池スタック１４の上方に配置されることにより、断熱筐体１６内で燃料電池スタック１４の反応や輻射により発生して上昇する熱を効率的に受けることができる。これにより、生成された改質用水蒸気を所望の加熱状態まで十分に加熱することができる。
【００２９】
次に、改質水蒸発器２６の具体的な構成例を説明する。
【００３０】
図３は、本発明の改質水蒸発器２６の構成図であり、図３（Ａ）は、平面図であり、図３（Ｂ）は、正面図であり、図３（Ｃ）は、側面図である。
【００３１】
図３（Ａ）〜図３（Ｃ）に示すように、改質水蒸発器２６は、内部に中空の水蒸気生成空間５８を有する扁平直方体形状の箱体６０と、箱体６０を燃料電池モジュール１０に設置する際のブラケットとなる取付部材６２とを備える。
【００３２】
箱体６０は、ステンレス等の金属板を箱型に形成した構成である。図３（Ａ）に示す箱体６０の平面視で短辺となる一側面（右側面）には、凝集水タンク２０からの改質水を水蒸気生成空間５８に導入するための入口管６４が突設されている（図２も参照）。箱体６０の平面視で長辺となる一側面（正面）には、水蒸気生成空間５８で生成された改質用水蒸気を改質器２２に供給するための水蒸気供給ラインＬＷが接続される出口管６６が突設されている（図２も参照）。
【００３３】
取付部材６２は、ステンレス等の金属板を図３（Ｂ）に示すような扁平門形状に屈曲形成した構成である。取付部材６２は、箱体６０の下面が載置・固定される支持板６２ａと、支持板６２ａの左右端に屈曲形成された取付片６２ｂ，６２ｂとを有する。図２に示すように、各取付片６２ｂが空気予熱器２４の左右の補助予熱器５２，５２を跨いで固定されることにより、改質水蒸発器２６が燃料電池スタック１４の上方に設置される。このように設置することで、改質水蒸発器２６と、改質水蒸発器２６に連結した固定配管との間に発生する熱応力を抑制することができる。
【００３４】
図４は、本発明の第一実施形態に係る、改質水蒸発器２６の内部構造を示す説明図であり、図４（Ａ）は、平面図であり、図４（Ｂ）は、正面断面図であり、図４（Ｃ）は、側面断面図である。図４では、取付部材６２の図示を省略している。図中、二点鎖線は滴下される水を示している。
【００３５】
図４（Ａ）〜図４（Ｃ）に示すように、箱体６０は、上面となる上板６０ａと、底面（底部）となる底板６０ｂと、前後左右の４側面（側壁）となる側板６０ｃとを直方体形状に形成し、内部に中空の水蒸気生成空間５８を形成したものである。水蒸気生成空間５８の底面となる底板６０ｂは、燃料電池モジュール１０内で燃料電池スタック１４の上面に対向配置される部分であり、断熱筐体１６内で発生して上昇した熱を受けて水蒸気生成空間５８内を加熱する伝熱板（伝熱面、加熱面）６０ｂとなる（図２も参照）。
【００３６】
なお、伝熱板６０ｂは上記の通りステンレス等の金属板で形成されている。そのため、伝熱板６０ｂの内面が滑らかな表面で形成されている場合、高温に加熱された伝熱板６０ｂの表面では水滴が水蒸気を膜にして伝熱板６０ｂと接触することなく水滴のまま伝熱板６０ｂ上に存在し、蒸発速度が遅くなることがある。そうすると、蒸発速度が安定せずに圧力変動（脈動）を生じ、改質におけるスチームカーボン比が安定しなくなり、改質器２２での適切な改質条件を維持できなくなる懸念がある。すなわち、本実施形態のように箱型に構成した改質水蒸発器２６において、水蒸気生成空間５８内での圧力変動を低減するためには、改質水を分散して導入し、且つ突沸を防ぐために改質水を伝熱板６０ｂの表面になじませて広く浸透させる必要がある。
【００３７】
そこで、本実施形態に係る改質水蒸発器２６では、水蒸気生成空間５８の内部に改質水を分散して吐出可能な散水管６８を配設し、水蒸気生成空間５８の底面となる伝熱板６０ｂの箱体内側面（上面）には吸水部７０を設けている（図４（Ｂ）及び図４（Ｃ）参照）。
【００３８】
散水管６８は、箱体６０内で入口管６４と接続されており、凝集水タンク２０からの入口管６４を介して供給された改質水を水蒸気生成空間５８で散水するパイプである。散水管６８は、水蒸気生成空間５８内で伝熱板６０ｂ（吸水部７０）の上方に配設されている。
【００３９】
図５に示すように、散水管６８の下面側にはその長手方向（改質水の流通方向）に沿って複数（図５では８個）の吐出孔６８ａが形成されている。各吐出孔６８ａは散水管６８の長手方向に向かって互いに周方向にずれた位置に形成されている。これにより、散水管６８に導入された改質水を各吐出孔６８ａから伝熱板６０ｂの吸水部７０に向かって分散させ、伝熱板６０ｂの表面（伝熱面）を広く有効活用することができる。
【００４０】
伝熱板６０ｂは、箱体６０の底面を形成しており、その上方に配設された散水管６８から散水された改質水を加熱して蒸発させ、改質用水蒸気を生成する部分である。この伝熱板６０ｂは、内面に微細加工が施されており、その上に吸水部７０が設けられている。この場合の微細加工は、例えば、１ｍｍ以下の溝を１ｍｍ以下のピッチで十字状に形成し或いはローレット加工によって形成するとよい。
【００４１】
本実施形態の場合、吸水部７０としてステンレス等の金属フェルトを伝熱板６０ｂの表面に敷き詰めている。これにより、改質水が散水管６８から吸水部７０に散水されると、ここで吸水されて広範囲に浸透し、同時に伝熱板６０ｂからの熱によって大きな伝熱面積で加熱されて蒸発する。そして、生成された改質用水蒸気は、出口管６６から水蒸気供給ラインＬＷへと流れて改質器２２に導入されることになる。
【００４２】
吸水部７０としては、金属フェルトを設けずに伝熱板６０ｂの微細加工のみで改質水を広く吸水可能な構造としてもよい。また、金属フェルトに代えて金属織物等を用いてもよい。すなわち、吸水部７０は、散水管６８からの散布された改質水を毛細管現象等を利用して広く拡散浸透させることができる構成であればよく、多孔質形状や微細形状等、液体が染み渡る構造を有するものであればよく、伝熱板６０ｂと別体構造であっても一体構造であってもよい。
【００４３】
図４（Ｂ）に示すように、散水管６８には、吐出促進部７２ａを設けている。吐出促進部７２ａは、吐出孔６８ａ毎に設けられている。吐出促進部７２ａは、ワイヤー状の金属または耐熱性樹脂材料を吐出孔６８ａの周囲に溶接または巻き付けて設置するとよい。吐出促進部７２ａは、突起状であればよい。本実施の形態では、棒状の金属を溶接によって取り付けている。吐出促進部７２ａは、一端が吐出孔６８ａ内壁に溶接され、他端が吐出孔６８ａから下方であって水の流通方向下流側に向けて斜めに突出するように設けられている。また、吐出促進部７２ａの他端は、図４（Ｃ）に示すように、図において左右方向に斜め下方に突出している。
【００４４】
尚、吐出促進部７２ａの一端は、吐出孔６８ａの縁部から垂下されるように配設されていてもよい。また。吐出促進部７２ａは、吐出孔６８ａの近傍に配設されていてもよい。ここで、吐出孔６８ａの近傍とは、吐出孔６８ａから吐出されようとする水が触れる範囲内である。吐出孔６８ａの近傍は、吐出孔６８ａから吐出された水滴が滴下されずに散水管６８についた状態となる範囲であってもよい。吐出孔６８ａに到達した水は、吐出促進部７２ａに触れ、吐出促進部７２ａを伝って散水される。従って、吐出促進部７２ａによって、着実な散水が可能となり、改質用水蒸気の安定供給が可能となる。
【００４５】
箱体６０外の熱を箱体６０内に伝えることのできる伝熱板６０ｂを設け、この伝熱板６０ｂによって箱体６０内に散水した水を加熱する構成としたので、水を加熱するための構造が簡素となり、改質水蒸発器２６自体の小型化が可能である。改質水蒸発器２６は箱体６０による箱型形状を有するため、燃料電池モジュール１０を形成する断熱筐体１６の内部での設置効率が良好である。従って、所望の位置に容易に配置することができ、その占有面積も小さいものとなるため、燃料電池モジュール１０の小型化が可能となる。よって、燃料電池モジュール１０を備えた発電装置１２の小型化も可能となる。
【００４６】
また、高温の燃料電池モジュール１０内で所望の位置に改質水蒸発器２６を設置できるため、断熱筐体１６内での熱効率を容易に向上させることができる。さらに、改質水蒸発器２６は、箱体６０の内部に散水管６８を配設し、箱体６０の一壁面となる伝熱板６０ｂの箱体内側面に吸水部７０として金属フェルトを設けた簡素な構成からなるため、設計や製造が容易で製造コストが低い。しかも、改質水を蒸発させる伝熱板６０ｂの表面に吸水部７０を設けているため、蒸発振動（脈動）を防止でき、改質水が円滑に拡散するため蒸発が安定する。この際、吸水部７０として金属フェルトを用いているため、伝熱面積が飛躍的に増加し、改質水蒸発器２６を一層小型化することができる。
【００４７】
また、本実施形態に係る発電装置１２は、このような改質水蒸発器２６と、燃料電池スタック１４と、これらを囲む断熱筐体１６とを有する燃料電池モジュール１０を備える。この発電装置１２では、燃料電池スタック１４の上方に改質水蒸発器２６を設置しているため、断熱筐体１６内で上昇した熱を改質水蒸発器２６で効率的に受けることができる。従って、改質用水蒸気を所望の過熱状態まで円滑に加熱することができる。しかも改質水蒸発器２６によって断熱筐体１６の上部から外部への放熱を低減することができるため、モジュール内の熱自立を維持することができる。これにより、燃料電池スタック１４での燃料利用率の低下が防止され、装置全体の発電効率を維持することができる。
【００４８】
この際、本実施形態に係る改質水蒸発器２６では、箱体６０の底面が伝熱板６０ｂによって形成されると共に、伝熱板６０ｂの上方に散水管６８が配置されている。しかも伝熱板６０ｂの外面が燃料電池スタック１４の上面に対向配置された状態で、改質水蒸発器２６が燃料電池スタック１４の上方に設置されている。これにより、箱体６０の底面（伝熱板６０ｂ）が加熱面となり、箱体６０の上面（天井面）側にある散水管６８から改質水が導入・散水されるため、箱体６０の内部に断熱構造を構築して上面の温度を低下させ、断熱筐体１６の上部から外部への放熱を一層低減することができる。
【００４９】
（第二実施形態）
図６は、改質水蒸発器の第二実施形態である。第二実施形態の改質水蒸発器２６ｂは、吐出促進部が第一実施形態と異なり、他の部分は第一実施形態と同じである。第二実施形態の吐出促進部７２ｂは一部が破断した輪状に形成されており、これを散水管６８に嵌合して配設している。吐出促進部７２ｂは、散水管６８の吐出孔６８ａ毎に、吐出孔６８ａの上流側近傍と下流側近傍とに設けられている。吐出促進部７２ｂは、吐出孔６８ａ近傍から下向きに突出する形状であればよい。吐出促進部７２ｂは、金属または耐熱性樹脂またはセラミックス材料で形成される。吐出促進部７２ｂにより、１つの吐出孔６８ａから出た水滴が他の吐出孔６８ａから出た水滴との合流を防止できる。また、吐出孔６８ａより吐出されようとする水は、吐出促進部７２ｂに触れ、吐出促進部７２ｂを伝って滴下する。従って、吐出促進部７２ｂによって着実な散水が可能となり、改質用水蒸気の安定供給が可能となる。
【００５０】
（第三実施形態）
図７は、改質水蒸発器の第三実施形態である。第三実施形態の改質水蒸発器２６ｃは、吐出促進部と散水管が第一実施形態と異なり、他の部分は第一実施形態と同じである。第三実施形態の散水管６９は、その下側に、吐出孔６８ａ毎に、長手方向に沿って傾斜する傾斜部６９ａを設けている。吐出孔６８ａは、傾斜部６９ａの途中に設けられている。第三実施形態の吐出促進部７２ｃは、散水管６９の下側に設けられた傾斜部６９ａの吐出孔６８ａより下側の部分である。隣同士の吐出孔６８ａの間には、傾斜部６９ａの上端が位置している。従って、１つの吐出孔６８ａから出た水滴が他の吐出孔６８ａから出た水滴との合流を防止できる。吐出孔６８ａより吐出されようとする水は、吐出孔６８ａの傾斜方向下側の縁部に触れ、吐出孔６８ａの傾斜方向下側に延在する吐出促進部７２ｃを伝い、下方に滴下する。従って、吐出促進部７２ｃによって、着実な散水が可能となり、改質用水蒸気の安定供給が可能となる。
【００５１】
（第四実施形態）
図８は、改質水蒸発器の第四実施形態である。第四実施形態の改質水蒸発器２６ｄは、吐出促進部が第一実施形態と異なり、他の部分は第一実施形態と同じである。第四実施形態の吐出促進部７２ｄは、吸水材を吸水部７０と吐出孔６８ａとの間に設けてなる。吸水材は、吸水部７０と同じ材質のものでよい。吐出促進部７２ｄは、一端が、吐出孔６８ａの一部を塞ぐように配設され、他端は吸水部７０と接している、もしくは一体となっている。吐出促進部７２ｄは、吐出孔６８ａ毎に設けられている。吐出促進部７２ｄは、吐出孔６８ａを塞がないように、吐出孔６８ａの縁部に接するように配設してもよい。吐出孔６８ａより吐出されようとする水は、吐出促進部７２ｄに触れ、吐出促進部７２ｄを伝い、吸水部７０へ向かう。吐出促進部７２ｄにより、１つの吐出孔６８ａから出た水滴が他の吐出孔６８ａから出た水滴との合流を防止できる。吐出促進部７２ｄによって、着実な散水が可能となり、改質用水蒸気の安定供給が可能となる。
【００５２】
（第五実施形態）
第五実施形態の改質水蒸発器２６ｅは、図９に示すように、散水管支持部７４ａを備えている。第五実施形態の改質水蒸発器２６ｅは、散水管支持部７４ａを備えている点と吐出促進部を備えていない点が第一実施形態と異なり、他の部分は第一実施形態と同じである。散水管支持部７４ａは、散水管６８よりも径が大きく、一端が閉じた円筒形状に形成されている。散水管支持部７４ａは、箱体６０内に開口するように側板６０ｃに固定されている。散水管支持部７４ａの内部に散水管６８の先端が挿通されて、散水管６８の先端が支持固定されている。このように、箱体６０と散水管６８が直接触れないように散水管６８の先端を固定しているので、箱体６０と散水管６８の間の温度差による熱応力の発生を抑制できるとともに、散水管６８の振動を防止でき、散水管６８からの安定した散水が可能となる。
【００５３】
（第六実施形態）
図１０は、改質水蒸発器の第六実施形態である。第六実施形態の改質水蒸発器２６ｆは、散水管支持部が第五実施形態と異なり、他の部分は第五実施形態と同じである。第六実施形態の散水管支持部７４ｂは、Ｖ字状の溝７５を有するブロック状に形成されている。溝７５の一端は、散水管支持部７４ｂの一端に開口している。散水管支持部７４ｂの他端は、側板６０ｃに固定されている。溝７５に、散水管６８の先端が支持固定されている。溝７５によって、散水管６８の先端下部を受けている。このようにして、箱体６０と散水管６８が直接触れないように散水管６８の先端を支持固定しているので、箱体６０と散水管６８の間の温度差による熱応力の発生を抑制できるとともに、散水管６８の振動を防止でき、散水管６８からの安定した散水が可能となる。
【００５４】
なお、本発明は、上記した実施形態に限定されるものではなく、本発明の主旨を逸脱しない範囲で自由に変更できることは勿論である。例えば、上記実施形態では、燃料電池スタック１４を４個１組として用いた構成を例示したが、燃料電池スタック１４の搭載個数は適宜変更可能であることは勿論である。また、燃料電池スタック１４は矩形の積層形状ではなく、円筒形状の発電セルを１本又は複数本有した構成であってもよい。また、燃料電池スタック１４の種類によっては改質器２２を省略してもよい。また、改質器２２と空気予熱器２４、改質水蒸発器２６を断熱筐体１６の外に設置してもよい。また、伝熱板６０ｂは、ブロック状のものであってもよい。伝熱板６０ｂは、加熱手段と一体であって、加熱手段によって加熱されるものであってもよい。入口管６４は、断熱材で被覆されているとよい。散水管６８は、吸水部７０に接するように配置されていてもよい。燃料電池モジュール１０は、改質水蒸発器２６の代わりに改質水蒸発器２６ｂ，２６ｃ，２６ｄ，２６ｅ，２６ｆの何れかを備えてもよい。吐出孔６８ａは、散水管６８の真下、中央に一列に配置してもよい。改質水蒸発器２６への水供給は必ずしも凝集水タンク２０からでなくてもよく、水道水からの供給などでもよい。また、散水管支持部７４は散水管６８の先端部に限定されるものではなく、散水管の途中で支持してもよい。
【符号の説明】
【００５５】
１０  燃料電池モジュール
１２  発電装置
１４  燃料電池スタック
１４ａ  燃料極
１４ｂ  空気極
１６  断熱筐体
２２  改質器
２４  空気予熱器
２６，２６ｂ，２６ｃ，２６ｄ，２６ｅ，２６ｆ  改質水蒸発器
５８  水蒸気生成空間
６０  箱体
６０ａ  上板
６０ｂ  底板（伝熱板）
６０ｃ  側板
６２  取付部材
６４  入口管
６６  出口管
６８  散水管
６８ａ  吐出孔
６９  散水管
６９ａ  傾斜部
７０  吸水部
７２ａ，７２ｂ，７２ｃ，７２ｄ  吐出促進部
７４ａ，７４ｂ  散水管支持部
７５  溝
ＬＡ１，ＬＡ２  空気供給ライン
ＬＦ１，ＬＦ２  燃料供給ライン
ＬＷ  水蒸気供給ライン
【図１】
2018010831.tif 000003
【図２】
2018010831.tif 000004
【図３】
2018010831.tif 000005
【図４】
2018010831.tif 000006
【図５】
2018010831.tif 000007
【図６】
2018010831.tif 000008
【図７】
2018010831.tif 000009
【図８】
2018010831.tif 000010
【図９】
2018010831.tif 000011
【図１０】
2018010831.tif 000012